(57)【要約】【課題】上部電極が低抵抗化された表示装置を提供する。【解決手段】透明基板の一面に、マトリクス状に配置されたカラーフィルタと、該カラーフィルタの周辺に形成された、遮光性を有する遮光パターンとが形成され、該遮光パターン及びカラーフィルタ上に、被覆部と、下部電極と、発光層と、上部電極と、が順次積層されてなる表示装置であって、遮光パターンは、上部電極の形成材料以下の比抵抗を有する導電材料によって形成され、上部電極は、遮光パターンの一部と電気的に接続されている。【選択図】図１
2010198929.tif 000002
【特許請求の範囲】
【請求項１】
透明基板と、
該透明基板の一面に、マトリクス状に配置された複数のカラーフィルタと、
前記透明基板の一面における、前記カラーフィルタの周辺に形成された、遮光性を有する遮光パターンと、
絶縁性を有し、前記遮光パターン、及び前記カラーフィルタを被覆する被覆部と、
該被覆部の一面に、前記被覆部を介して前記カラーフィルタと重なるように、前記カラーフィルタのなすマトリクスの行方向に並列配置された複数の下部電極と、
該下部電極を被覆するように、前記被覆部の一面に形成された発光層と、
該発光層の一面に、前記発光層を介して前記下部電極と交差する領域が、前記発光層、前記下部電極、及び前記被覆部を介して前記カラーフィルタと重なるように、前記カラーフィルタのなすマトリクスの列方向に並列配置された複数の上部電極と、
該上部電極と電気的に接続される上部取出電極と、
前記下部電極と電気的に接続される下部取出電極と、を備える表示装置であって、
前記遮光パターンは、前記上部電極の形成材料以下の比抵抗を有する導電材料によって形成されており、
前記上部電極は、前記遮光パターンを介して前記上部取出電極と電気的に接続されていることを特徴とする表示装置。
【請求項２】
前記遮光パターンは、前記下部電極の形成材料以下の比抵抗を有する導電材料によって形成されており、
前記遮光パターンは、前記上部取出電極と電気的に接続される第１遮光パターンと、前記下部取出電極と電気的に接続され、前記第１遮光パターンとは離れて形成された第２遮光パターンと、前記第１遮光パターン及び前記第２遮光パターンと離れて形成された第３遮光パターンと、を有し、
前記上部電極は、前記第１遮光パターンを介して前記上部取出電極と電気的に接続され、前記下部電極は、前記第２遮光パターンを介して前記下部取出電極と電気的に接続されていることを特徴とする表示装置。
【請求項３】
前記透明基板の一面における、前記カラーフィルタ及び該カラーフィルタ間に形成される前記遮光パターンのなす領域が表示領域とされ、該表示領域を除く領域が非表示領域とされており、
前記上部電極は、前記非表示領域にまで延設された前記第１遮光パターンの端部と、電気的に接続されていることを特徴とする請求項２に記載の表示装置。
【請求項４】
前記上部電極は、前記第１遮光パターンの両端部と、電気的に接続されていることを特徴とする請求項３に記載の表示装置。
【請求項５】
前記第３遮光パターンは、前記下部電極と電気的に接続されていることを特徴とする請求項２〜４いずれか１項に記載の表示装置。
【請求項６】
前記被覆部における前記第３遮光パターンとの対向部位それぞれには、スルーホールに導電部材が充填されてなる層間接続部が少なくとも２つ形成されており、
前記第３遮光パターンは、前記層間接続部を介して前記下部電極と電気的に接続されていることを特徴とする請求項５に記載の表示装置。
【請求項７】
前記上部取出電極及び前記下部取出電極は、前記遮光パターンと同一の材料によって形成されていることを特徴とする請求項２〜６いずれか１項に記載の表示装置。
【請求項８】
前記上部取出電極と前記第１遮光パターンは一体的に形成され、前記下部取出電極と前記第２遮光パターンは一体的に形成されていることを特徴とする請求項７に記載の表示装置。
【発明の詳細な説明】
【技術分野】
【０００１】
本発明は、有機ＥＬ素子を有する表示装置に関するものである。
【背景技術】
【０００２】
通常、有機ＥＬ素子を有する発光層にキャリアを注入する下部電極には、発光層で生じた光を透光するために、Ａｌなどの金属材料よりも比抵抗が大きいＩＴＯなどの透光性（透明性）を有する導電材料が用いられる。そのため、下部電極に入力される駆動信号の電圧レベルが高くなり、これによって消費電力が高くなるという問題があった。これに対し、例えば特許文献１に示される表示装置は、Ａｌ等からなる遮光層パターンと下部電極とが電気的に接続された構成となっている。
【０００３】
特許文献１に示されるＥＬ表示装置は、カラーフィルタ上にＥＬ表示素子を積層して設けたものである。ＥＬ表示素子は、カラーフィルタ側から下部電極、発光層、及び上部電極を順次積層して構成される。カラーフィルタは、透光基板上に、ＥＬ表示素子の発光を受光する位置に配置された着色層パターンと、下部電極及び上部電極それぞれと接続される取出電極と、着色層パターン間を埋める遮光層パターンと、を備えている。遮光層パターンは、導電材料によって形成されており、下部電極は、遮光層パターンと電気的に接続され、遮光層パターンと下部電極とが取出電極との電気的な接続を担う構成となっている。したがって、下部電極を、遮光層パターンと下部電極からなるものと広義的に解釈すると、下部電極のみが取出電極との電気的な接続を担う構成と比べて、下部電極が低抵抗化され、消費電力が低減された表示装置となっている。
【先行技術文献】
【特許文献】
【０００４】
【特許文献１】特開２００３−１７２６３号公報
【発明の概要】
【発明が解決しようとする課題】
【０００５】
しかしながら、特許文献１に示される構成では、下部電極の低抵抗化は実現されているが、上部電極の低抵抗化は実現されていない。
【０００６】
そこで、本発明は上記問題点に鑑み、上部電極が低抵抗化された表示装置を提供することを目的とする。
【課題を解決するための手段】
【０００７】
上記した目的を達成するために、請求項１に記載の発明は、透明基板と、該透明基板の一面に、マトリクス状に配置された複数のカラーフィルタと、透明基板の一面における、カラーフィルタの周辺に形成された、遮光性を有する遮光パターンと、絶縁性を有し、遮光パターン、及びカラーフィルタを被覆する被覆部と、該被覆部の一面に、被覆部を介してカラーフィルタと重なるように、カラーフィルタのなすマトリクスの行方向に並列配置された複数の下部電極と、該下部電極を被覆するように、被覆部の一面に形成された発光層と、該発光層の一面に、発光層を介して下部電極と交差する領域が、発光層、下部電極、及び被覆部を介してカラーフィルタと重なるように、カラーフィルタのなすマトリクスの列方向に並列配置された複数の上部電極と、該上部電極と電気的に接続される上部取出電極と、下部電極と電気的に接続される下部取出電極と、を備える表示装置であって、遮光パターンは、上部電極の形成材料以下の比抵抗を有する導電材料によって形成されており、上部電極は、遮光パターンを介して上部取出電極と電気的に接続されていることを特徴する。
【０００８】
このように本発明によれば、上部電極が、上部電極の形成材料以下の比抵抗を有する導電材料からなる遮光パターンを介して上部取出電極と電気的に接続されている。これにより、上部電極を、遮光パターンと上部電極からなるものと広義的に解釈すると、上部電極が上部取出電極と直接電気的に接続された構成と比べて、上部電極が低抵抗化された構成となっている。これにより、本発明に係る表示装置は、上部電極が低抵抗化された表示装置となっている。
【０００９】
請求項２に記載のように、遮光パターンは、下部電極の形成材料以下の比抵抗を有する導電材料によって形成されており、遮光パターンは、上部取出電極と電気的に接続される第１遮光パターンと、下部取出電極と電気的に接続され、第１遮光パターンとは離れて形成された第２遮光パターンと、第１遮光パターン及び第２遮光パターンと離れて形成された第３遮光パターンと、を有し、上部電極は、第１遮光パターンを介して上部取出電極と電気的に接続され、下部電極は、第２遮光パターンを介して下部取出電極と電気的に接続された構成が好ましい。
【００１０】
これによれば、上部電極が、上部電極の形成材料以下の比抵抗を有する導電材料からなる第１遮光パターンを介して上部取出電極と電気的に接続されている。これにより、上部電極を、第１遮光パターンと上部電極からなるものと広義的に解釈すると、上部電極が上部取出電極と直接電気的に接続された構成と比べて、上部電極が低抵抗化された構成となっている。また、下部電極が、下部電極の形成材料以下の比抵抗を有する導電材料からなる第２遮光パターンを介して下部取出電極と電気的に接続されている。これにより、下部電極を、第２遮光パターンと下部電極からなるものと広義的に解釈すると、下部電極が下部取出電極と直接電気的に接続された構成と比べて、下部電極が低抵抗化された構成となっている。以上により、本発明に係る表示装置は、上部電極が上部取出電極と直接電気的に接続され、下部電極が第２遮光パターンを介して下部取出電極と電気的に接続された表示装置と比べて、消費電力が低減された表示装置となっている。
【００１１】
請求項３に記載のように、透明基板の一面における、カラーフィルタ及び該カラーフィルタ間に形成される遮光パターンのなす領域が表示領域とされ、該表示領域を除く領域が非表示領域とされており、上部電極は、非表示領域にまで延設された第１遮光パターンの端部と、電気的に接続された構成が好ましい。
【００１２】
表示領域にて、上部電極が第１遮光パターンと電気的に接続される構成としては、被覆部と発光層における、上部電極とカラーフィルタとが重ならない領域に、上部電極と第１遮光パターンとを接続するスルーホールを形成し、該スルーホールにおける発光層によって形成される壁面を絶縁部材によってコーティングし、スルーホール内に導電材料が充填されてなる層間接続部を形成することで、該層間接続部を介して上部電極と第１遮光パターンとを電気的に接続する構成を考えることができる。しかしながら、この場合、上記した層間接続部の形成領域を、表示領域にてカラーフィルタが形成されていない領域（遮光パターンの形成領域）に確保しなくてはならない。したがって、層間接続部の形成領域の分、表示領域における遮光パターンの形成領域の面積が広くなってしまい、開口率が低下する、という不具合が生じる。
【００１３】
これに対し、請求項３に記載の発明によれば、非表示領域にて、上部電極と第１遮光パターンとが電気的に接続されているので、表示領域にて上部電極と第１遮光パターンとが電気的に接続される表示装置と比べて、開口率の低下が抑制された表示装置となっている。
【００１４】
請求項４に記載のように、上部電極は、第１遮光パターンの両端部と、電気的に接続された構成が良い。これによれば、上部電極を、第１遮光パターンと上部電極からなるものと広義的に解釈すると、上部電極が第１遮光パターンの一方の端部と電気的に接続された構成と比べて、上部電極と第１遮光パターンとの接触面積が増えるので、上部電極が低抵抗化された構成となっている。これにより、より効果的に消費電力を低減することができる。
【００１５】
請求項５に記載のように、第３遮光パターンは、下部電極と電気的に接続された構成が良い。これによれば、下部電極が、下部電極の形成材料以下の比抵抗を有する導電材料からなる第３遮光パターンと電気的に接続されている。したがって、下部電極を、第２遮光パターンと、第３遮光パターンと、下部電極と、からなるものと広義的に解釈すると、下部電極が第３遮光パターンと電気的に接続されていない構成と比べて、下部電極が低抵抗化された構成となっている。これにより、より効果的に消費電力を低減することができる。
【００１６】
下部電極が第３遮光パターンと電気的に接続される構成としては、請求項６に記載のように、被覆部における第３遮光パターンとの対向部位それぞれには、スルーホールに導電部材が充填されてなる層間接続部が少なくとも２つ形成されており、第３遮光パターンは、層間接続部を介して下部電極と電気的に接続された構成を採用することができる。これにより、下部電極を流れる電流を、２つの層間接続部材を介すことで、第３遮光パターンを経由させることができる。
【００１７】
請求項７に記載のように、上部取出電極及び下部取出電極は、遮光パターンと同一の材料によって形成された構成が良い。これによれば、取出電極を、遮光パターンとともに形成することができるので、取出電極が遮光パターンを形成する材料とは別の材料によって形成された構成と比べて、表示装置の製造工程を簡略化することができる。
【００１８】
請求項８に記載のように、上部取出電極と第１遮光パターンは一体的に形成され、下部取出電極と第２遮光パターンは一体的に形成された構成が良い。これによれば、上部取出電極と第１遮光パターン、及び下部取出電極と第２遮光パターンそれぞれが離反し、上部取出電極と第１遮光パターン、及び下部取出電極と第２遮光パターンそれぞれが接続部材によって接続された構成と比べて、取出電極と接続部材との接触抵抗、及び接続部材と遮光パターンとの接触抵抗の分、取出電極と遮光パターン間の抵抗を低減することができる。すなわち、消費電力を低減することができる。
【図面の簡単な説明】
【００１９】
【図１】第１実施形態に係る表示装置の概略構成を示す平面図である。
【図２】図１のＩＩ−ＩＩ線に沿う断面図である。
【図３】図１のＩＩＩ−ＩＩＩ線に沿う断面図である。
【図４】図１のＩＶ−ＩＶ線に沿う断面図である。
【発明を実施するための形態】
【００２０】
以下、本発明の実施の形態を図に基づいて説明する。図１は、第１実施形態に係る表示装置の概略構成を示す平面図である。図２は、図１のＩＩ−ＩＩ線に沿う断面図である。図３は、図１のＩＩＩ−ＩＩＩ線に沿う断面図である。図４は、図１のＩＶ−ＩＶ線に沿う断面図である。なお、図１においては、便宜上、上部電極７０と重なる、カラーフィルタ２０、遮光パターン３０、及び下部電極５０を実線で示し、後述する被覆部４０及び発光層６０を省略する。また、以下においては、透明基板１０の一面１０ａに沿う方向であり、カラーフィルタ２０によって形成されるマトリクスの行方向を単に行方向と示し、一面１０ａに沿う方向であり、行方向と垂直である方向を列方向と示す。
【００２１】
図１及び図２に示すように、表示装置１００は、要部として、透明基板１０と、該透明基板１０の一面１０ａにマトリクス状に配置されたカラーフィルタ２０と、一面１０ａにおけるカラーフィルタ２０の周辺に配置された遮光パターン３０と、カラーフィルタ２０及び遮光パターン３０上に形成された被覆部４０と、該被覆部４０の一面４０ａに形成された下部電極５０と、該下部電極５０を被覆するように、被覆部４０の一面４０ａに形成された発光層６０と、該発光層６０の一面６０ａに形成された上部電極７０と、該上部電極７０及び下部電極５０と電気的に接続される取出電極８０と、を有している。取出電極８０には、下部電極５０及び上部電極７０に駆動信号を入力するための入力部９０が接続されており、該入力部９０から出力される駆動信号によって、画像が表示されるようになっている。
【００２２】
透明基板１０は、発光層６０が発光する白色光の内、少なくとも波長が３８０ｎｍ〜７８０ｎｍである可視光を透過する材料によって形成されており、本実施形態では、ガラスによって形成されている。
【００２３】
カラーフィルタ２０は、発光層６０が発光する白色光の内、可視光領域における代表的な波長領域の光を選択的に透過するものである。本実施形態に係るカラーフィルタ２０は、代表的な波長領域の光として、光の三原色である、赤色、緑色、及び青色の波長領域の光を選択的に透過させる、３つのフィルタ２１〜２３を有している。レッドフィルタ２１は赤色の波長領域（６２５ｎｍ〜７４０ｎｍ）の光を透過する材料によって形成され、グリーンフィルタ２２は緑色の波長領域（５００ｎｍ〜５６５ｎｍ）の光を透過する材料によって形成され、ブルーフィルタ２３は青色の波長領域（４５０ｎｍ〜４８５ｎｍ）の光を透過する材料によって形成されている。これらフィルタ２１〜２３は、透明基板１０の一面１０ａにマトリクス状に配置されており、発光層６０から出力される白色光が、各フィルタ２１〜２３を介して外部に出力されることで、画像がカラー表示されるようになっている。なお、透明基板１０の一面１０ａにおける、カラーフィルタ２０と、カラーフィルタ２０間に配置された遮光パターン３０とによって形成される領域が、特許請求の範囲に記載の表示領域に相当し、該表示領域を除く部位が、特許請求の範囲に記載の非表示領域に相当する。
【００２４】
遮光パターン３０は、遮光性を有し、カラーフィルタ２０を透過した光が混合することを抑制するものである。遮光パターン３０は、透明基板１０の一面１０ａに導電材料を堆積した後、該導電材料を所定のパターンにエッチングすることで形成される。遮光パターン３０は、後述する上部電極７０の形成材料以下の比抵抗を有する導電材料によって形成されており、本実施形態では、Ａｌよりも比抵抗が小さいＡｇによって形成されている。
【００２５】
遮光パターン３０は、後述する取出電極８０を構成する上部取出電極８１と電気的に接続される第１遮光パターン３１と、取出電極８０を構成する下部取出電極８２と電気的に接続され、第１遮光パターン３１とは離れて形成された第２遮光パターン３２と、該第２遮光パターン３２及び第１遮光パターン３１とは離れて形成された第３遮光パターン３３と、を有している。図１に示すように、第１遮光パターン３１は、長手方向が行方向と平行となるように形成され、それぞれが、列方向に並列配置された構成となっている。第２遮光パターン３２は、長手方向が列方向と平行となるように形成され、それぞれが、行方向に並列配置された構成となっている。第３遮光パターン３３は、長手方向が列方向と平行となるように形成され、カラーフィルタ２０によって構成されるマトリクスの列方向に沿う隙間、及び行方向において最外層に位置するカラーフィルタ２０の周辺に配置された構成となっている。
【００２６】
被覆部４０は、絶縁性を有し、カラーフィルタ２０と遮光パターン３０とを被覆するものである。本実施形態に係る被覆部４０は、アクリル系の透光性を有する樹脂によって形成されており、該樹脂をスピンコート法によって塗布し、塗布された樹脂をフォトリソ法によってパターニングし、パターニングされた樹脂の表面を研磨することで、所定の形状に形成される。図３及び図４に示すように、被覆部４０は、カラーフィルタ２０と遮光パターン３０とによって形成される凸凹な面と対向する一面４０ａが平坦とされ、行方向の端部には、被覆部４０の中心から端部に向かうに従って厚さが縮径する第１の傾斜が形成され、列方向の端部には、下部取出電極８２の方向へ向かうに従って厚さが縮径する第２の傾斜が形成されている。
【００２７】
また、図４に示すように、被覆部４０における第３遮光パターン３３との対向部位それぞれには、第３遮光パターン３３と、下部電極５０とを接続するスルーホールに、Ａｇなどの導電部材が充填されてなる２つの層間接続部４１が形成されている。これにより、下部電極５０を流れる電流が、層間接続部４１を介すことで、第３遮光パターン３３を経由する構成となっている。下部電極５０から、一方の層間接続部４１を介して第３遮光パターン３３に流入した電流は、他方の層間接続部４１を介して、下部電極５０に戻るようになっている。このように、下部電極５０を流れる電流が、第３遮光パターン３３を流れるようになっている。なお、上記した構成において、第３遮光パターン３３に流れる電流量を増大することで、下部電極５０を低抵抗化するには、層間接続部４１が、各第３遮光パターン３３における長手方向の各端部に設けられた構成が望ましい。
【００２８】
下部電極５０は、透明性を有する導電材料によって形成されており、本実施形態では、比抵抗がＡｇよりも大きいＩＴＯによって形成されている。下部電極５０は、その長手方向が、被覆部４０を介して、列方向に配列されたカラーフィルタ２０、第２遮光パターン３２、及び第３遮光パターン３３と重なるように、列方向に沿って形成されている。そして、下部電極５０それぞれが、所定の間隔を隔てて、行方向に並列配置された構成となっている。図４に示すように、下部電極５０の一端５０ａは、被覆部４０の第２の傾斜に沿って形成され、一端５０ａと、第２遮光パターン３２とが電気的に接続されている。これにより、下部電極５０と下部取出電極８２とが、第２遮光パターン３２を介して電気的に接続された構成となっている。また、上記したように、下部電極５０は、層間接続部４１を介して、列方向に並列配置された第３遮光パターン３３それぞれと電気的に接続された構成となっている。図１では、１つの下部電極５０につき、１つの第２遮光パターン３２と、２つの第３遮光パターン３３とが電気的に接続された構成が示されている。
【００２９】
発光層６０は、有機ＥＬ素子を有し、有機エレクトロルミネッセンス現象によって、可視光領域の様々な波長を有する光が重なり合わさった白色光を発光するものである。発光層６０は、被覆部４０の一面４０ａに形成された下部電極５０を被覆するように、一面４０ａに形成される。
【００３０】
上部電極７０は、比抵抗がＡｇよりも大きいＡｌによって形成され、その長手方向が、発光層６０、下部電極５０、及び被覆部４０を介して、行方向に配列されたカラーフィルタ２０、及び第１遮光パターン３１と重なるように形成されている。そして、上部電極７０それぞれが、所定の間隔を隔てて、列方向に並列配置された構成となっている。図３に示すように、上部電極７０の端部７０ａ，７０ｂは、被覆部４０の第１の傾斜に沿って形成され、端部７０ａ，７０ｂと、第１遮光パターン３１における非表示領域まで延設された両端部とが電気的に接続されている。これにより、上部電極７０と上部取出電極８１とが、第１遮光パターン３１を介して電気的に接続された構成となっている。
【００３１】
取出電極８０は、下部電極５０及び上部電極７０と、後述する入力部９０とを電気的に接続するものである。本実施形態に係る取出電極８０は、遮光パターン３０とともに形成され、遮光パターン３０の一部と一体的に形成されている。取出電極８０は、第１遮光パターン３１と一体的に形成された上部取出電極８１と、第２遮光パターン３２と一体的に形成された下部取出電極８２と、を有している。上記したように、上部取出電極８１は、第１遮光パターン３１を介して上部電極７０と電気的に接続され、下部取出電極８２は、第２遮光パターン３２を介して下部電極５０と電気的に接続されている。
【００３２】
入力部９０は、上部電極７０及び下部電極５０に駆動信号を入力するものであり、上部取出電極８１と電気的に接続される第１入力部９１と、下部取出電極８２と電気的に接続される第２入力部９２と、を有している。第１入力部９１から出力された駆動信号は、上部取出電極８１、第１遮光パターン３１、及び上部電極７０を介して発光層６０に入力され、第２入力部９２から出力された駆動信号は、下部取出電極８２、第２遮光パターン３２、第３遮光パターン３３、及び下部電極７０を介して発光層６０に入力されるようになっている。このように、第１遮光パターン３１と、上部電極７０と、上部取出電極８１とが第１入力部９１と発光層６０とを接続する供給配線の役割を果たし、第２遮光パターン３２と、第３遮光パターン３３と、下部電極５０と、下部取出電極８２とが、第２入力部９２と発光層６０とを接続する供給配線の役割を果たす。
【００３３】
次に、本実施形態に係る表示装置１００の駆動方式を説明する。表示装置１００は、パッシブマトリクス型の表示装置であり、駆動方式として線順次駆動方式を採用している。上部電極７０それぞれには、第１入力部９１から順次１行ずつ、上部電極７０と下部電極５０との間に電位差を生じさせる選択電圧が印加され、その他の行の上部電極７０には、上部電極７０と下部電極５０との間に電位差を生じさせない非選択電圧が印加される。そして、下部電極５０それぞれには、第２入力部９２からパルス幅変調された階調信号が供給されるようになっている。したがって、発光層６０における、上部電極７０と下部電極５０とが交差する領域（以下、このような領域を発光領域と示す）に、上部電極７０から選択電圧が印加され、下部電極５０から階調信号が入力されると、発光領域にキャリア（電子とホール）が注入され、発光領域で対消滅が生じ、パルス幅に応じた時間分、発光領域が発光する。これに対し、上部電極７０における非選択電圧が印加された行の発光領域には、上部電極７０と下部電極５０との間で電位差が生じないので、発光層６０にキャリアは流れ込まず、したがって発光領域は発光しない。このように、線順次駆動方式は、選択電圧が印加された行における、階調信号が入力された発光領域のみが発光するようになっている。なお、線順次駆動方式については、例えば特開２００８−２６６７８号公報などに示されるように公知なので、本実施形態では、詳細な説明を割愛する。
【００３４】
次に、本実施形態の作用効果を説明する。上記したように、上部電極７０は、非表示領域において、上部電極７０の形成材料（Ａｌ）以下の比抵抗を有する導電部材（Ａｇ）によって形成された第１遮光パターン３１の両端部と、端部７０ａ，７０ｂにて電気的に接続され、上部電極７０と上部取出電極８１とが、第１遮光パターン３１を介して電気的に接続された構成となっている。これにより、上部電極７０を、第１遮光パターン３１と上部電極７０からなるものと広義的に解釈すると、上部電極７０が上部取出電極８１と直接電気的に接続された構成と比べて、上部電極７０が低抵抗化された構成となっている。これにより、本実施形態に係る表示装置１００は、上部電極７０が低抵抗化された表示装置となっている。
【００３５】
また、本実施形態では、下部電極５０が、一端５０ａにおいて、下部電極５０の形成材料（ＩＴＯ）以下の比抵抗を有する導電部材（Ａｇ）によって形成された第２遮光パターン３２と電気的に接続され、下部電極５０と下部取出電極８２とが、第２遮光パターン３２を介して電気的に接続された構成となっている。これにより、下部電極５０を、第２遮光パターン３２と下部電極５０からなるものと広義的に解釈すると、下部電極５０が下部取出電極８２と直接電気的に接続された構成と比べて、下部電極５０が低抵抗化された構成となっている。以上により、本実施形態に係る表示装置１００は、上部電極７０が上部取出電極８１と直接電気的に接続され、下部電極５０が第２遮光パターン３２を介して下部取出電極８２と電気的に接続された表示装置と比べて、消費電力が低減された表示装置ともなっている。なお、選択電圧が印加された行のみを発光させる線順次駆動方式の場合、選択された行の輝度を保つために、１つの行に印加する電圧も高くなる。したがって、上記した、上部電極７０が低抵抗化された構成は、線順次駆動方式によって駆動する表示装置に、特に有用である。
【００３６】
上記したように、上部電極７０は、端部７０ａ，７０ｂにて、第１遮光パターン３１の両端部と電気的に接続された構成となっている。これにより、上部電極７０を、第１遮光パターン３１と上部電極７０からなるものと広義的に解釈すると、上部電極７０が第１遮光パターン３１の一方の端部と電気的に接続された構成と比べて、上部電極７０と第１遮光パターン３１との接触面積（駆動信号の流入面積）が増えるので、上部電極７０が低抵抗化された構成となっている。これにより、より効果的に消費電力を低減することができる。
【００３７】
表示領域にて、上部電極７０と第１遮光パターン３１とが電気的に接続される構成としては、被覆部４０と発光層６０における、上部電極７０とカラーフィルタ２０とが重ならない領域に、上部電極７０と第１遮光パターン３１とを接続するスルーホールを形成し、該スルーホールにおける発光層６０によって形成される壁面を絶縁部材によってコーティングし、スルーホール内に導電材料が充填されてなる層間接続部を形成し、該層間接続部を介して上部電極７０と第１遮光パターン３１とを電気的に接続する構成を考えることができる。しかしながら、この場合、上記した層間接続部の形成領域を、表示領域にてカラーフィルタ２０が形成されていない領域（第１遮光パターン３１の形成領域）に確保しなくてはならない。したがって、層間接続部の形成領域の分、表示領域における遮光パターン３０の形成領域の面積が広くなってしまい、開口率が低下する、という不具合が生じる。
【００３８】
しかしながら、本実施形態では、非表示領域にて、上部電極７０と第１遮光パターン３１とが電気的に接続されている。これにより、表示領域にて上部電極７０と第１遮光パターン３１とが電気的に接続された表示装置と比べて、開口率の低下が抑制された表示装置１００となっている。
【００３９】
本実施形態では、下部電極５０が、２つの層間接続部４１を介して、下部電極５０の形成材料以下の比抵抗を有する導電部材によって形成された第３遮光パターン３３と電気的に接続された構成となっている。したがって、下部電極５０を、第２遮光パターン３２と、第３遮光パターン３３と、下部電極５０と、からなるものと広義的に解釈すると、下部電極５０が第３遮光パターン３３と電気的に接続されていない構成と比べて、下部電極５０が低抵抗化された構成となっている。これにより、より効果的に消費電力を低減することができる。
【００４０】
本実施形態では、取出電極８０が、遮光パターン３０と同一の材料によって形成されている。これにより、取出電極８０が遮光パターン３０を形成する材料とは別の材料によって形成された構成と比べて、表示装置１００の製造工程を簡略化することができる。
【００４１】
本実施形態では、上部取出電極８１と第１遮光パターン３１とが一体的に形成され、下部取出電極８２と第２遮光パターン３２とが一体的に形成されている。これにより、上部取出電極８１と第１遮光パターン３１、及び下部取出電極８２と第２遮光パターン３２それぞれが離反し、上部取出電極８１と第１遮光パターン３１、及び下部取出電極８２と第２遮光パターン３２それぞれが接続部材によって接続される構成と比べて、取出電極８０と接続部材との接触抵抗、及び接続部材と遮光パターン３０との接触抵抗の分、取出電極８０と遮光パターン３０間の抵抗を低減することができる。これにより、消費電力を低減することができる。
【００４２】
以上、本発明の好ましい実施形態について説明したが、本発明は上記した実施形態になんら制限されることなく、本発明の主旨を逸脱しない範囲において、種々変形して実施することが可能である。
【００４３】
本実施形態では、上部電極７０が、その端部７０ａ，７０ｂにて、第１遮光パターン３１の両端部と電気的に接続される例を示した。しかしながら、上部電極７０が、端部７０ａにて、第１遮光パターン３１の一端と電気的に接続される構成としても良い。
【００４４】
本実施形態では、下部電極５０が、その一端５０ａにて、第２遮光パターン３２と電気的に接続される例を示した。しかしながら、下部電極５０と第２遮光パターン３２とが電気的に接続されない構成としても良い。
【００４５】
本実施形態では、層間接続部４１を介して、下部電極５０と第３遮光パターン３３とが電気的に接続される例を示した。しかしながら、下部電極５０と第３遮光パターン３３とが電気的に接続されない構成としても良い。
【００４６】
本実施形態では、取出電極８０が、遮光パターン３０と同一の材料によって形成される例を示した。しかしながら、取出電極８０を、遮光パターン３０とは異なる材料によって形成しても良い。
【００４７】
本実施形態では、遮光パターン３０がＡｇによって形成される例を示した。しかしながら、遮光パターン３０の形成材料としては、上記例に限定されず、上部電極７０の形成材料以下の比抵抗を有する導電部材ならば適宜採用することができる。例えば、上部電極７０がＩＴＯによって形成される場合、遮光パターン３０の形成材料として、酸化Ｃｒ、Ｃｒの積層膜、Ａｌなどを採用することができる。
【符号の説明】
【００４８】
１０・・・透明基板
２０・・・カラーフィルタ
３０・・・遮光パターン
３１・・・第１遮光パターン
３２・・・第２遮光パターン
３３・・・第３遮光パターン
４０・・・被覆部
５０・・・下部電極
６０・・・発光層
７０・・・上部電極
８０・・・取出電極
８１・・・上部取出電極
８２・・・下部取出電極
９０・・・入力部
１００・・・表示装置
【図１】
2010198929.tif 000003
【図２】
2010198929.tif 000004
【図３】
2010198929.tif 000005
【図４】
2010198929.tif 000006